(57)【特許請求の範囲】
【請求項１】
エレベータ使用者が携帯する情報送信機（１）からデータ（６）を自動的に読み取る検出器（５）と、
エレベータ使用者の個人的な特性を識別した後、変更可能な行先階を事前選択してエレベータ使用者に知らせる、前記検出器（５）に接続された処理装置（９）と、を有するエレベータ設備の使用方法であって、
エレベータ使用者が、個人的な特性に依存し処理装置（９）によって決定される標準行先階を、事前選択されるように選ぶことができ、個人的な特性が識別される度毎に、前記標準行先階が、エレベータ使用者に知らされること、
エレベータ使用者が、行先階なしを、事前選択されるように選ぶことができ、個人的な特性の認識の後で、且つ各運行の前に、エレベータ使用者が、自分の希望する行先階を、エレベータ制御装置（１０）に入力装置（１９）を介して伝えること、
エレベータ使用者が、固定行先階を、事前選択されるように選ぶことができ、エレベータ使用者が、自分の希望に従って、且つ権限の与えられた範囲内で、行先階を指定でき、個人的な特性の認識が終わる度毎に、前記固定行先階が、エレベータ使用者に知らされること、
エレベータ使用者が、最後に選択された行先階である行先階を、事前選択されるように選ぶことができ、この最後に選択された行先階が、個人的な特性が認識される度毎に、エレベータ使用者に知らされること、および、
エレベータ使用者が、処理装置（９）によって学習された行先階である行先階を、事前選択されるように選ぶことができ、エレベータ使用者の習慣によって学習された行先階が、個人的な特性が認識される度毎に、エレベータ使用者に知らされることからなる、自分の個人的なニーズに対応する行先階の事前選択の形式のうちの１つを選ぶことができ、
この選ばれた行先階の事前選択の形式が、次に選ばれるまで有効であることを特徴とするエレベータ設備の使用方法。
【請求項２】
行先階の事前選択を有するプロフィールを選ぶことができ、
この少なくとも２つの形式の行先階の事前選択が、時間ごとになっていることを特徴とする請求項１に記載のエレベータ設備の使用方法。
【発明の詳細な説明】
【０００１】
【発明の属する技術分野】
本発明は、エレベータ使用者が携帯する情報送信機からデータを自動的に読み取る検出器と、この検出器に接続された処理装置であって、エレベータ使用者の個人的な特性を認識した時に、変更可能な行先階を事前選択してそれをエレベータ使用者に伝達する処理装置とを有するエレベータ設備の使用方法に関する。
【０００２】
欧州特許３４１３８１に関して、特に、エレベータ設備についての制御指令の確実で便利な入力のための方法および装置が知られており、それらは、制御指令をエレベータ制御装置に送信する携帯式の無線送信機を有している。この携帯式の無線送信機は、２つの操作モード、即ち、「手動／押しボタン式」と「自動／不変式」を有している。希望する操作モードは、送信装置の操作モードセレクタによって設定できる。「手動／押しボタン式」モードにおいては、希望する行先階は、送信装置のテンキーを使用して直接入力され、エレベータ制御装置に送信される。操作の「自動／不変式」モードにおいては、送信装置は、希望する行先階に関する情報を、特定の時間間隔でエレベータ制御装置に送信する。肯定応答および／または合図は、送信装置に取り付けられた表示器（ディスプレイ）に生じる。このように、使用者に、自分の行先の呼び出しが登録されたこと、およびどのエレベータを使用すべきかを知らせる。
【０００３】
【発明が解決しようする課題】
上記の方法では、携帯式の送信機は、種々の機能キーと表示器を有しており、このことは、希望する操作モードを指定するために常に送信機を手に持っていなければならないことを意味している。従って、エレベータの乗客の手が空いていない場合、送信機を操作することは実行できない。
【０００４】
更に、両方の操作モードで、入力の肯定応答と指定されたエレベータかごは、送信機の表示器に示されるだけであり、従って、乗客は、表示器を読むために、その都度ポケットから取り出さなければならないことになる。更に、機能キーと表示器のために、サイズが大きくなりすぎて送信機は携帯に不便となる。最後に、キーパッドと表示器を使用するので製造費が大きくなる。
【０００５】
本発明の目的は、既知の装置の不都合な点を回避することであり、また乗客が便利にしかも確実に使用できるエレベータ設備を提供することである。
【０００６】
【課題を解決するための手段】
本発明から得られる利点は、エレベータ使用者が携帯する情報送信機によって、或いは、エレベータ使用者の特性の認識によって、希望する行先階が、エレベータ乗客の方で個人的に何も操作をすることなくエレベータ制御装置に自動的に伝送される、という事実に主に関係している。建物の中での安全は、ある階に対してのみアクセスする権限を与えることによって高められる。更なる利点は、エレベータ使用者は、自分の個人的な要望に従って、且つ自分のアクセス権限の範囲内で、行先階の事前選択を左右することができるということである。情報記憶装置を使用することによって、エレベータ制御装置は、希望する行先階のみならず付加的な輸送規準を受け取る。エレベータの近くに設置された入力装置を使って、乗客は、自分の選択をした後、自分のアクセス権限の範囲内で、行先階を変更することができる。更に、入力は目視および／または音で承認され、幾つかのエレベータかごを有するエレベータで、例えば、呼び出しに割当てられたかごが使用者に示される。
【０００７】
【発明の実施の形態】
本発明の代表的な実施例を図面で示し、以下に詳細に説明する。
図１および図２は、欧州特許０６９９６１７Ａ１に関して作られている。図１から図３において、１は情報送信機を示しており、これは、例えば、クレジットカード形式のカードや、キーケース（ｋｅｙ  ｆｏｂ）や、キーの一部の形状をとることができる。この情報送信機１は、本質的に、例えば、アンテナ２と送信機電子回路ブロック３の形状をとる送信装置からなる。この送信機電子回路ブロック３は、送受信機および識別コードを有する第１記憶装置３．１を有する。この電子回路ブロック３に電力を供給するために、バッテリー、好ましくは長寿命のバッテリーが、情報送信機１に取り付けられる。また、情報送信機１を受動素子として装備することも可能であり、磁界を介して情報送信機１に電力を供給することも可能である。この電子回路ブロック３は、エレベータの付近以外ではインアクティブであり、例えば、検出器５によって放射された電磁場４によって作動（アクティブ化）する。検出器５からの対応する問い合わせに従って、情報送信機１が、データ６を検出器５に送信する。このデータ６は、希望する行先階に関する直接の情報、例えば階数を含んでおり、および／または、データ６は、エレベータ使用者３５の識別情報（識別コード）として働き、第２記憶装置８に格納された行先階に関する情報へのアクセスを可能とする。通信が特定の時間行われないと、情報送信機１は、インアクティブ状態に戻る。記憶装置８は、エレベータ設備の処理装置９に設置されており、行先階に関する情報を有している。変形形態として、行先階の情報を有する第２記憶装置８は、情報送信機１に直接搭載することも可能である。この場合、検出器５は、行先階に関する情報を直接受信する。
【０００８】
更に、記憶装置８は、付加的な個人の輸送規準と乗客に関するデータ、例えば、乗客の名前、必要なスペースの広さに関するデータ、単独運行（例えば、重要人物、病院ベッド、食べ物輸送、ゴミ輸送など）、優先運行、移動が不自由な人に対してドアの開き時間を伸ばす運行、身体にハンデキャップのある人へのサービス、かご清掃のための操作モード、および病院やホテルにおける特別な操作モードなどを有している。
【０００９】
検出器５は、少なくとも１つのアンテナ１１が取り付けられており、エレベータ設備への通路における建物の特定の部分を監視する。検出器５は、情報送信機１のために建物の各部を自動的に調べて、電子回路ブロック１２を用いて通信を管理する。電子回路ブロック１２は、送受信機と通信管理装置を有する。検出器５と情報送信機１との間の通信は、例えば、無線周波数でまたは赤外線範囲で実行される。検出器はまた、カードリーダ１２．１を備えており、このカードリーダ１２．１は、検出器５と、例えば、接点を有するチップカードの形状をとる情報送信機１との間での非接触でない通信を提供するのに役立つ。情報送信機１または処理装置９に取り付けられた記憶装置８が、検出器５によって読まれ、また好ましくは書き込まれる。検出器５は、情報送信機１から受信したデータ６を、伝導性のワイヤ１３を介して処理装置９に送信する。データ６を使って、行先階が、処理装置９で評価され、対応する呼び出し１４が、割当てアルゴリズム１５によって作られ、エレベータ制御装置１０へ渡される。受信された割当て１６は、例えば、乗客の名前や、行先階や、輸送要求などと結び付けられて、乗客に伝送される。これは、伝導性ワイヤ１７および表示器１８を介して、または音、例えば言語合成によって、実行される。１つのエレベータのみを有するエレベータ設備の場合には、割当て１６の通信はない。乗客が識別された後で、処理装置９がデータ６から考えられる行先階を推定出来ない場合、処理装置９は、乗客に自分の行先階を入力装置１９に、入力表示器１８を介してまたは音で、入力するように促す。処理装置９は、自分自身のコンピュータを有するか、またはエレベータ制御装置１０に組み込まれている。幾つかのエレベータかごを有するエレベータ設備の場合には、エレベータ制御装置１０は、通常、例えば欧州特許２４６３９５から分かるような行先階の呼び出しの制御としての機能を果たす。呼び出しを入力する全非接触プロセスは、手を使用することなく、また情報送信機１の指示に関係なく実行できる、このことは、また、識別を実行するために、情報送信機１が検出器５に対して見える必要がないことを意味している。最小数の部品を使用するコンパクトな構造によって、情報送信機１が非常に安価に製造される。
【００１０】
変形形態として、検出器５は、その人の個人的な特性に基づいて、例えば光学的に（顔の外形、指紋、虹彩）、または音声に基づいて、乗客を認識するように設置される。記憶装置８に格納された特性に合致すれば、検出器５は、処理装置９にメッセージを送信する。この場合、情報送信機１を必要としない。提示された行先階を変更するために、入力装置１９がここで必要となる。その後、処理装置９は、呼び出しを上記の実施例の場合のように評価する。
【００１１】
入力装置１９を必要としない場合もある。この時には、乗客は、アクセス権限を与えられている階にのみ到着することができる。アクセス権限が与えられた階は、記憶装置８に格納された情報から決定される。ホテルの場合、これらは、例えば主要階（メインフロア）と乗客の部屋の階である。
【００１２】
情報送信機１は、どんな物にも搭載可能である。デパートや空港の駐車場のエレベータには、乗客が荷物やショッピングカートを伴っているか否かが予め分からないという問題がある。エレベータの空間管理は、それに対応して、別に計画されなければならない。カートに付いている情報送信機１は、乗客が一人で現れているのか、あるいはカートを伴って現れているのかを決定することを容易にする。駐車場で、自動車のドライバーは、入場時に、情報送信機１付きのカードを受け取る。このカードはまた、駐車料金の支払いチケットとしての役割も果たす。ドライバーが駐車する階で、ドライバーは、荷物カートを持っていくかもしれない。ドライバーがエレベータに近づくと、ドライバーとカートは、検出器５によって認識され、現在の階数が、その人のカード（情報送信機１）に書き込まれる。
【００１３】
駐車場では、行先階は、常にその建物の主要階であり、そこで、ドライバーは、自身が必要とする空間を考慮した最善のエレベータ割当てを直ちに受け取る。
乗客は、行先階へ運ばれる。乗客が主要階にカートを伴ってまたはカートなしで戻ってきたら、その人が車を止めている階へ自動的に連れて行かれる。駐車場を出るチェックポイントで、カード（情報送信機１）は再び引き取られる。この変形形態は、カード（情報送信機１）が更にルームキーとしての役割を果たすホテルで使用できる。主要階と各部屋がある階が、行先階として事前選択される。
【００１４】
更に、他の変形形態では、情報送信機１は、別個のカードとしてではなくコード化されたキーとして携帯される。例えば、住居ビルやオフィスビルでは、そのビルのキーに情報送信機１を持たすことが可能である。そのとき、検出器５は、ドアが開くと直ちにエレベータ制御装置１０が行先階呼び出しを受け取るように、ドアロックに取り付けられている。オフィスビルでは、このプロセスは、例えば、出勤の時間を記録するための時計が作動した時に起こる。
【００１５】
図２は、本発明による選択方法を適用するためのエレベータ設備３０のレイアウトと主要構造物を示しており、これはエレベータが１基しかないエレベータ設備の使用にも適用されることができる。エレベータ３１ａ、３１ｂ、３１ｃを有する１群のエレベータは、入口３３を有する主要停止階３２から上層の階へ動く。各階の入口３３、３４の付近には、少なくとも１つの検出器５が設けられている。検出器５の送受信範囲は、それに割当てられた入口を含んでいる。検出器５は、行先階がエレベータ制御装置１０に早く送信されるように、エレベータ３１ａ、３１ｂ、３１ｃから数歩離れた位置に設けられており、その結果、割当てられたエレベータが、乗客よりも出来るだけ早くまたは同時に、エレベータ通路のドアに到着する。このように、乗客３５は、検出されて、検出器５の直ぐ前に立つ必要もなく、エレベータ３１ａ、３１ｂ、３１ｃが利用可能となる。検出器５の近くには、入力装置１９が、提示された行先階を変更するために設けられている。外側のドア（ｌａｎｄｉｎｇ  ｄｏｏｒ）の上方またはその脇、および／または入力装置１９には、表示装置１８がある。乗客３５には、エレベータ３１ａ、３１ｂ、３１ｃが乗り込む階に来る前に、情報送信機１によって暗黙の中に指定された割当エレベータや行先階が知らされる。そこで、乗客３５が別の行先階を選択したい場合には、入力装置１９に明示的に選択することができる。その場合には、暗黙の入力呼び出しは、取り消される。処理装置９は、この変化を記録し、この乗客３５に対しては、１日の同時刻には、常に新しい行先階をエレベータ制御装置１０に指定する。ある時間経過後、その乗客３５に関する多くの統計的情報が記憶装置８に格納されるので、乗客３５は、習慣が変わらないならば、自動的にいつも正しい行先階へ運ばれる。
【００１６】
もし乗客が処理装置９によって提示された階とは別の階に行きたい場合は、行先階を、入力装置１９を介して、変更または選択できる。例えば、テンキーのキーパッドの形式を取る入力装置１９は、検出器５の近くに設置され、処理装置９への直接接続２０を有している。新しい行先階は、記憶装置８に加えられる。この手順によって、処理装置９は、その乗客の通常の行先階を評価するために、識別された人、１日の時間、週の日、そしてスタート階を使用することが可能となる。
【００１７】
全ての新しいエレベータ使用者に対する識別データは、アクセス権限の範囲（アクセス権限が与えられた階）とともに、当該のビルの安全管理者によって、例えば別のコンピュータで、情報送信機１と処理設備９に送信される。そして、エレベータ使用者３５は、事前選択した行先階を左右するために、自分のアクセス権限の範囲内で、図３に示す全ての範囲を選ぶことができる。
【００１８】
一般的な規準として、エレベータ使用者の識別が終わると、例えば、そのエレベータ使用者のオフィスまたは部屋の階に対応する標準行先階が、自動的に事前選択される。この事前選択された行先階は、表示器１８に目で見えるように表示され、その階への運行が実行される。
【００１９】
識別の後、エレベータ使用者３５は、自分の標準行先階の事前選択を入力装置１９に付いている組合せキーを使って取り消すことができ、別の形式の行先階の事前選択を選ぶことができる。下記の選択が最小限可能である。
【００２０】
（行先なし）
この形式の行先階の選択では、情報送信機１は、キーの機能のみを有する。各運行の前に、エレベータ使用者は、自分の希望する行先階をエレベータ制御装置１０に、例えば時間窓（タイムウィンドウ）以内に、入力装置１９を介して送信しなければならない。当該のエレベータ使用者は、アクセス権限が与えられたどの階も選択することができる。
【００２１】
（固定行先階）
この形式の行先階の事前選択は、エレベータ使用者が自分の標準行先階を権限の与えられた範囲内で指定できること以外は、標準行先階の形式に対応している。
【００２２】
（最後に選択された行先階）
処理装置９は、各エレベータ使用者の最後の移動を記録し、この形式の行先階の事前選択では、識別の後、当該のエレベータ使用者の最後の移動を表示器１８に自動的に示す。
【００２３】
（学習された行先階）
この形式の行先階の事前選択は、既に上で説明した。処理装置９は、当該のエレベータ使用者が行った階に関するその人の習慣を記録し、何時でも、識別の後、習慣的に使用する階を示す。
【００２４】
上記の種類の組合せを、例えば１日の概略（ｐｒｏｆｉｌｅ）として選択できる。即ち、１日の概略として選択されるものは、例えば、８時と９時の間の標準行先階、９時と１０時の間の学習された行先階、１０時と１１時の間の行先階なし、そして１１時と１２時の間の固定行先階を、事前選択された行先階とするものである。
【図面の簡単な説明】
【図１】本発明による方法を実行するための装置の概略図である。
【図２】本発明による方法を使用するエレベータ設備のレイアウトとアウトライン構成である。
【図３】本発明による行先階を事前選択するための方法の選択の概要を表したものである。
【符号の説明】
１  情報送信機
２、１１  アンテナ
３  送信電子回路ブロック
３．１  第１記憶装置
４  電磁場
５  検出器
６  データ
８  記憶装置
９  処理装置
１０  エレベータ制御装置
１２  電子回路ブロック
１３、１７  伝導性ワイヤ
１４  呼び出し
１５  割当てアルゴリズム
１６  割当て
１８  表示器
１９  入力装置
２０  直接接続
３０  エレベータ設備
３１ａ、３１ｂ、３１ｃ  エレベータ
３２  主要停止階
３３  入口
３５  乗客
【図１】
0004636643.tif 000002
【図２】
0004636643.tif 000003
【図３】
0004636643.tif 000004